(57)【要約】【課題】意図しない操作入力等を確実に防止できるマウスを提供する。【解決手段】この発明のマウス３は、マウス本体部４に設けられた入力操作スイッチ４３と、該入力操作スイッチ４３を有してなる操作スイッチ回路４３０に設けられた開閉スイッチ５２とを備え、前記開閉スイッチ５２は、前記操作スイッチ回路４３０において前記入力操作スイッチ４３を電気的に開離可能に接続されていることを特徴とする。【選択図】図２
2008040942.tif 000002
【特許請求の範囲】
【請求項１】
マウス本体部に設けられた入力操作スイッチと、
該入力操作スイッチを有してなる操作スイッチ回路に設けられた開閉スイッチとを備え、
前記開閉スイッチは、前記操作スイッチ回路において前記入力操作スイッチを電気的に開離可能に接続されていることを特徴とするマウス。
【請求項２】
前記開閉スイッチは、前記マウス本体部とは別体の付属体に設けられている請求項１に記載のマウス。
【発明の詳細な説明】
【技術分野】
【０００１】
この発明は、パーソナルコンピュータ等の情報処理装置における入力機器としてのマウスに関する。
【背景技術】
【０００２】
従来、例えば、生産設備等の各種制御対象機器については、シーケンサによる自動制御を導入したものが一般的であったが、最近では、各種デジタル機器の普及に伴い、パーナルコンピュータ上でのアプリケーションプログラムを運用して制御する方法が多くなってきている。
【０００３】
例えば、制御システム等において、パーソナルコンピュータにおけるディスプレイ装置の画面上のシンボルを、マウスを移動操作してポインタで指示し、マウスの左ボタンスイッチでクリックすることにより、制御対象機器の起動や停止をさせるような使い方が多く行われている。
【０００４】
この種のマウスとしては、本体ケース上面に、移動量検出用ボールに対向して操作用開口を形成し、この操作用開口から指を入れて前記ボールを微小回転させることによって、画面上の所望の位置に対してポインタを正確に位置合わせできるようにしたマウスが公知である（特許文献１参照）。
【特許文献１】特開平６−２３０８９３号公報
【発明の開示】
【発明が解決しようとする課題】
【０００５】
ところで、前述したマウスを操作する生産現場等においては、操作者が入力操作、例えばクリック操作した後に、マウスから手を離している状態で、うっかりマウスの左右のボタンに触れたり、あるいはマウス付近に置いてあった書類等が倒れて不用意にマウスの左右のボタンに触れたりすることがある。
【０００６】
その場合、意図しない入力操作信号がパーソナルコンピュータに送出され、制御対象機器の誤動作を招く等の種々のトラブルが発生することになる。
【０００７】
前述した従来のマウスでは、移動量検出用ボールを指で微小回転させてポインタを正確に位置合わせできるだけであり、上記のような意図しない操作入力を防止することは到底できない。
【０００８】
なお、上記のような事態になった時の極端な対策として、例えば、マウスで入力操作する時のみ、マウスの入力ケーブルをパーソナルコンピュータ本体側のコネクタに挿入し、操作が終了すれば、入力ケーブルを抜いておくようにすることも考えられる。
【０００９】
しかし、最近多用されているＵＳＢマウスでは、ＵＳＢ入力ケーブルをパーソナルコンピュータ本体側に挿入した時、再設定のために数秒以上の待ち時間が必要であるから、作業が中断できないような生産現場などでは、これを採用できるものではない。さらに、ＵＳＢ入力ケーブルの頻繁な抜き差しに対する保証もない。
【００１０】
また、別の対策として、例えば、複数のパーソナルコンピュータに対して一つのマウスを切り替え使用するためのセレクタを導入し、マウスによる入力操作が終了する度に、セレクタでマウスをパーソナルコンピュータ側から非接続側に切り替える方法も考えられる。しかし、この方法では、セレクタの切り替え忘れを生じた場合には、依然として上記と同様の不具合を招くことになる。
【００１１】
この発明は、上記実情に鑑みてなされたものであり、意図しない操作入力等を確実に防止できるマウスを提供することを目的としている。
【課題を解決するための手段】
【００１２】
前記目的を達成するために、本発明は以下の手段を提供する。
【００１３】
［１］マウス本体部に設けられた入力操作スイッチと、
該入力操作スイッチを有してなる操作スイッチ回路に設けられた開閉スイッチとを備え、
前記開閉スイッチは、前記操作スイッチ回路において前記入力操作スイッチを電気的に開離可能に接続されていることを特徴とするマウス。
【００１４】
［２］前記開閉スイッチは、前記マウス本体部とは別体の付属体に設けられている前項１に記載のマウス。
【発明の効果】
【００１５】
［１］の発明によれば、前記開閉スイッチをＯＮ操作した状態で、入力操作スイッチをＯＮ操作すれば、該入力操作スイッチが、対応する操作スイッチ回路に電気的に接続されるから、この入力操作スイッチによる操作信号が通常通りに送出される。
【００１６】
前記入力操作スイッチによる入力が済んだ後、前記開閉スイッチをＯＦＦ操作すれば、入力操作スイッチが、対応する操作スイッチ回路から電気的に開離される。このため入力操作スイッチの不操作時において、例えば机上の文具等が不用意に該入力操作スイッチのボタンに当たったとしても、該入力操作スイッチによる入力信号が送出されることはなく、従って制御対象機器の誤動作等を確実に防止できる。
【００１７】
［２］の発明では、開閉スイッチは、マウス本体部とは別体の付属体に設けられているから、前記マウス本体部の入力操作スイッチ等の操作の際に誤って開閉スイッチを操作してしまうような不具合を回避できる。即ち、例えば、左手で付属体の開閉スイッチを操作する一方、右手でマウス本体部の入力操作スイッチを操作することが可能となるので、両スイッチの誤操作が十分に防止されるものとなる。
【発明を実施するための最良の形態】
【００１８】
図１は、この発明の一実施形態に係るマウス３が用いられたパーソナルコンピュータ（以下、「ＰＣ」という）を示す平面図であり、図２はマウス３の回路構成図である。
【００１９】
図１及び図２において、このＰＣは、ＰＣ本体１と、ディスプレイ装置２と、マウス３とを備えている。
【００２０】
前記ＰＣ本体１は、図示しないマザーボード、ハードディスク装置（ＨＤＤ）及びＣＤ・ＲＯＭ等を有しており、ＨＤＤにインストールされたアプリケーションプログラムを運用して各種情報を処理したり、あるいは制御対象機器を制御するように構成されている。
【００２１】
前記ディスプレイ装置２は、ＰＣ本体１の出力装置として、例えば、前記アプリケーションプログラムの運用時の作業状況を画面上に表示するものであり、例えばＬＣＤ（液晶表示装置）等からなる。
【００２２】
前記マウス３は、マウス本体部４の他に、マウス本体部４とは別体の付属体５を備えている（図１参照）。
【００２３】
前記マウス本体部４は、一般のマウス構造と同じである。つまり、このマウス本体部４における本体ケース４１の内部には、機械式ないしは光学式などの位置検出部４２の他に、入力操作スイッチとしての左右のボタンスイッチ４３，４４やマイクロコンピュータ（マイコン）４５等が配設されており、このマウス本体部４と前記ＰＣ本体１との間は、例えばＵＳＢケーブル４００により電気的に接続されている。
【００２４】
前記マウス本体部４における本体ケース４１の上面には、左ボタンスイッチ４３を操作する左ボタン４３１と、右ボタンスイッチ４４を操作する右ボタン４４１と、スクロールホイール４６とが配設されている。
【００２５】
前記位置検出部４２は、操作者がマウス本体部４をマウスパッド等の載置面上で移動操作した際、エンコーダなどにより２次元方向移動量を検出するものである。
【００２６】
前記左ボタンスイッチ４３は、操作スイッチ回路４３０に介挿された一対の固定接点４３ａ、４３ｂと、前記左ボタン４３１の操作に応動して固定接点４３ａ、４３ｂ間を電気的に開閉する可動接触片４３ｃと、図示しない可動接触片復帰用ばね部材とを備えており、画面上の特定場所で一回押しのクリックとして、或いは、２回押しのダブルクリック用として使用される。
【００２７】
前記右ボタンスイッチ４４は、操作スイッチ回路４４０に介挿された一対の固定接点４４ａ，４４ｂと、前記右ボタン４４１の操作に応動して固定接点４４ａ、４４ｂ間を電気的に開閉する可動接触片４４ｃと、図示しない可動接触片復帰用ばね部材とを備えており、右クリック用として使用される。
【００２８】
前記マイコン４５は、前記位置検出部４２の出力、左右のボタンスイッチ４３，４４からの出力をＰＣ本体１側に送出する信号を生成する。
【００２９】
前記付属体５は、その本体ケース５１の内部に開閉スイッチ５２が配設されており、該本体ケース５１の上面には、該開閉スイッチ５２を操作する押しボタン５１１が装着されている。
【００３０】
前記開閉スイッチ５２は、前記マウス本体部４における入力操作スイッチ（つまり左右のボタンスイッチ）４３，４４のうち、例えば左ボタンスイッチ４３を含む操作スイッチ回路４３０に対して、当該左ボタンスイッチ４３を電気的に開離可能に接続するものである。しかして、左ボタンスイッチ４３を操作してクリックする際には、押しボタン５１１の押下操作で開閉スイッチ５２をＯＮする（閉操作する）ように使用される。
【００３１】
この開閉スイッチ５２は、例えば、前記付属体５の本体ケース５１内に配設された固定接点５２ａ，５２ｂと、前記押しボタン５１１の押下操作に応動して固定接点５２ａ、５２ｂ間を電気的に開閉する可動接触片５２ｃと、図示しない可動接触片復帰用ばね部材とを備えたモーメント動作形（メーク接点形：常開形）の押しボタンスイッチから構成されている。
【００３２】
この開閉スイッチ５２は、ケーブル５００を介してマウス本体部４側の操作スイッチ回路４３０に接続されている。
【００３３】
前記開閉スイッチ５２は、左ボタンスイッチ４３に直列接続されているが、マウスの種別によって該左ボタンスイッチ４３の接点論理（メークかブレークか）が異なる場合には、それに応じた接点論理の開閉スイッチ５２を導入し、接続関係を変更すればよい。
【００３４】
次に、上記マウス３の使用手順を説明する。
【００３５】
操作者は、マウスパッド等の載置面上に置かれたマウス本体部４の本体ケース４１を、例えば右手で掴み、ディスプレイ装置２の画面を見ながら移動操作すると、マウス本体部４の二次元方向の各移動量が位置検出部４２で検出され、移動量検出信号がマイクロコンピュータ４５を介してＰＣ本体１側に送出されるから、画面上のポインタを所定の位置に移動させて指示させることができる。
【００３６】
また、操作者が右ボタン４４１を押下操作すれば、右ボタンスイッチ４４がＯＮし、入力操作信号としての右クリック信号がマイコン４５を介してＰＣ本体１側に送出される。
【００３７】
ここで、操作者が左ボタンスイッチ４３を操作したい場合には、左手で前記付属体５の本体ケース５１を掴むとともに、指で前記押しボタン５１１を押し下げて、開閉スイッチ５２をＯＮにしておく。
【００３８】
この開閉スイッチ５２のＯＮ状態で、マウス本体部４における左ボタン４３を右手で押下操作すれば、左ボタンスイッチ４３がＯＮし、入力操作信号としてのクリック信号がマイクロコンピュータ４５を介してＰＣ本体１側に送出されて、ポインタで指示された位置に対応する処理動作が行われる。
【００３９】
操作者は、この左ボタンスイッチ４３によるクリック操作が終わり次第、左手を前記付属体５から離せば、押しボタン５１１が復帰して開閉スイッチ５２がＯＦＦ状態となる。このように開閉スイッチ５２をＯＦＦ状態にすれば、左ボタンスイッチ４３が操作スイッチ回路４３０から開離されるから、該左ボタンスイッチ４３による操作出力が不可能になる。
【００４０】
従って、前記左ボタンスイッチ４３によるクリック操作が終了した後、例えば机上にある文具等が不用意に左ボタンスイッチ４３に当たったとしても、前記左ボタンスイッチ４３により操作出力がＰＣ本体１側に送出されるようなことがなく、従って制御対象機器の誤動作を招くおそれが解消される。
【００４１】
なお、前記開閉スイッチ５２は、モーメント形のものに特に限定されるものではないが、この例のようなモーメント形の押しボタンスイッチを採用すれば、押しボタン５１１から手を離せば、左ボタンスイッチ４３を直ちに操作スイッチ回路４３０から電気的に切り離すことができる。
【００４２】
更に、前記開閉スイッチ５２のＯＦＦにより、左ボタンスイッチ４３を操作スイッチ回路４３０から開離する構成であるから、マウス本体部４のケーブル４００をＰＣ本体１のコネクタ１１に接続したままで使用することができ、左ボタンスイッチ４３の次回の使用が速やかに問題なく行える。
【００４３】
なお、上記実施形態では、開閉スイッチ５２により、左ボタンスイッチ４３を操作スイッチ回路４３０に対して開離可能に接続するようにしたが、開閉スイッチを設けることにより右ボタンスイッチ４４を操作スイッチ回路４４０に対して開離可能に接続するようにしてもよく、また左右両方のボタンスイッチ４３，４４に対応して開閉スイッチ５２を設けてもよい。
【００４４】
また、前記開閉スイッチ５２をマウス本体部４側に設けることも可能であるが、この例のように開閉スイッチ５２をマウス本体部４側とは別体の付属体５に設けてあると、両者を離した位置で操作することができるので、マウス本体部４における入力操作と開閉スイッチ５２の操作とが互いに邪魔し合って誤操作を招くようなことを確実に回避することができる利点がある。
【００４５】
なお、前記付属体５に、開閉スイッチ５２の他にトグルスイッチ等を設けることによって、すべての操作入力を禁止可能とする構成を採用することも可能である。
【図面の簡単な説明】
【００４６】
【図１】この発明の一実施形態に係るマウスが用いられたパーソナルコンピュータを示す平面図である。
【図２】マウスの回路構成図である。
【符号の説明】
【００４７】
３…マウス
４…マウス本体部
５…付属体
４３、４４…入力操作スイッチ
５２…開閉スイッチ
４３０、４４０…操作スイッチ回路
【図１】
2008040942.tif 000003
【図２】
2008040942.tif 000004